(57)【要約】【課題】カメラ付き携帯電話機での、盗撮を防止する。【解決手段】周辺の照度を検出する受光検出部１０を有するカメラ付き携帯電話機で、中央制御部４０のファインダ表示制御部４０６は、カメラモード起動時にカメラフラッシュが非設定状態で且つ一定の光量に落ちた暗い状態に変化したことを検出すると、カメラ２０の機能を中断させＬＣＤ表示部３０におけるファインダ表示を停止する。【選択図】      図１
2005020130.tif 000002
【特許請求の範囲】
【請求項１】
周辺の照度を検出する受光検出手段を有するカメラ付き携帯電話機であって、カメラモード起動時にカメラフラッシュが非設定状態で且つ一定の光量に落ちた暗い状態に変化したことを検出すると、カメラ機能を中断し撮影を非許容とする制御手段を備えることを特徴とするカメラ付き携帯電話機。
【請求項２】
前記制御手段は、前記暗い状態に変化したことを検出するとファインダ表示を停止することを特徴とする請求項１記載のカメラ付き携帯電話機。
【請求項３】
前記制御手段は、前記暗い状態に変化したことを検出するとファインダ表示時にシャッター押下を無効にすることを特徴とする請求項１記載のカメラ付き携帯電話機。
【請求項４】
前記制御手段は、カメラ機能を中断し撮影を非許容としたときに、特定の報知音出力あるいはバイブレータを動作させることを特徴とする請求項３に記載のカメラ付き携帯電話機。
【請求項５】
周辺の照度を検出する受光検出部と、ファインダ表示を行う液晶表示部とを有し、中央制御部によってカメラ撮影を制御するカメラ付き携帯電話機であって、前記中央制御部は、カメラの起動・停止制御を行うカメラ起動制御部と、前記カメラ起動制御部により起動され前記受光検出部の起動およびデータ格納指示を行うと共に前記受光検出部が検出した明暗状態を認識する受光検出制御部と、前記受光検出制御部によって確認された明るさと暗さの状態変化をメモリに設定格納する受光状態設定制御部と、前記メモリに格納された変化後の明暗状態を判定する受光状態変化判定部と、前記受光状態変化判定部の判定が明るい場合にファインダ表示を継続させ前記受光状態変化判定部の判定が暗い場合にはカメラフラッシュの設定有無を判断するフラッシュ設定判定部と、前記受光状態変化判定部の判定が明るい場合および前記カメラフラッシュが設定されている場合にはファインダ表示を継続させ暗い場合且つフラッシュ設定がなされていない場合にはファインダ表示を停止させ前記カメラ起動制御部および前記受光検出制御部に起動停止を指示するファインダ表示制御部と、前記ファインダ表示制御部の指示に基づき前記液晶表示部の表示制御を行うＬＣＤ表示制御部とを備えることを特徴とするカメラ付き携帯電話機。
【請求項６】
前記受光検出部は、受光した光量を電圧変換して出力する受光部と、前記受光部からのアナログ電圧をデジタル値に変換する変換器と、前記変換器のＡ／Ｄ変換要求を行う比較器とを有し、前記比較器は、前記変換器が変換したデジタル値を格納する第１のレジスタと、予め定めた電圧しきい値を格納する第２のレジスタと、前記Ａ／Ｄ変換要求の出力間隔値を格納する第３のレジスタと、前記第１のレジスタに格納された測定結果と前記しきい値との比較結果を格納する第４のレジスタと、前記第３のレジスタに格納された値との一致を計数するためのカウンタとを備えることを特徴とする請求項５記載のカメラ付き携帯電話機。
【請求項７】
前記中央制御部は、前記受光状態変化判定部により変化後の状態が暗いと判定され且つ前記フラッシュ設定判定部がフラッシュ設定無しと判定した場合、ファインダ表示時にシャッター押下を無効とするシャッター不動作制御部を備えることを特徴とする請求項５記載のカメラ付き携帯電話機。
【請求項８】
前記シャッター不動作制御部が動作したとき特定の報知音あるいはバイブレータを動作させる報知出力制御部を備えることを特徴とする請求項７記載のカメラ付き携帯電話機。
【請求項９】
周辺の照度を検出する受光検出部およびファインダ表示を行う液晶表示部を有するカメラ付き携帯電話機における撮影停止方法であって、前記カメラを起動するステップと、カメラ起動後に前記受光検出部を起動するステップと、前記カメラのファインダ表示を開始させるステップと、このファインダ表示中に前記カメラの起動を監視するステップと、前記カメラの起動が継続する場合前記受光検出部により明るさと暗さの状態変化があったか否かを判定するステップと、この状態変化があった場合前記携帯電話機のメモリに設定するステップと、前記メモリに設定された変化後の状態を確認し暗さの変化後を判定するステップと、この変化後の状態が暗い場合フラッシュ設定の有無を判定するステップと、この判定の結果フラッシュ設定がなされていなければカメラ起動の終了を認識しファインダ表示を停止させるステップと、フラッシュ設定されていればファインダ表示を継続するステップと、ファインダ表示停止により前記受光検出部およびカメラ起動を停止させ待ち受け画面に遷移させるステップとを有することを特徴とするカメラ付き携帯電話機における撮影停止方法。
【請求項１０】
フラッシュ設定の有無判定時に前記変化の状態が暗く且つフラッシュ設定されていなければ、シャッター押下を無効にするステップを有することを特徴とする請求項９記載のカメラ付き携帯電話機における撮影停止方法。
【請求項１１】
前記シャッター押下を無効にした場合、特定の報知音あるいはバイブレータを動作させるステップを有することを特徴とする請求項１０記載のカメラ付き携帯電話機における撮影停止方法。
【請求項１２】
周辺の照度を検出する受光検出部およびファインダ表示を行う液晶表示部を有するカメラ付き携帯電話機における撮影処理をコンピュータに実行させるためのプログラムであって、前記カメラを起動する処理と、カメラ起動後に前記受光検出部を起動する処理と、前記カメラのファインダ表示を開始させる処理と、このファインダ表示中に前記カメラの起動を監視する処理と、前記カメラの起動が継続する場合前記受光検出部により明るさと暗さの状態変化があったか否かを判定する処理と、この状態変化があった場合前記携帯電話機のメモリに設定する処理と、前記メモリに設定された変化後の状態を確認し暗さの変化後を判定する処理と、この変化後の状態が暗い場合フラッシュ設定の有無を判定する処理と、この判定の結果フラッシュ設定がなされていなければカメラ起動の終了を認識しファインダ表示を停止させる処理と、フラッシュ設定されていればファインダ表示を継続する処理と、ファインダ表示停止により前記受光検出部およびカメラ起動を停止させ待ち受け画面に遷移させる処理とをコンピュータに実行させるためのプログラム。
【請求項１３】
請求項１２において、フラッシュ設定の有無判定時に前記変化の状態が暗く且つフラッシュ設定されていなければ、シャッター押下を無効にする処理をコンピュータに実行させるためのプログラム。
【請求項１４】
請求項１３において、前記シャッター押下を無効にした場合、特定の報知音あるいはバイブレータを動作させる処理をコンピュータに実行させるためのプログラム。
【発明の詳細な説明】
【０００１】
【発明の属する技術分野】
本発明はカメラ付き携帯電話機に関し、特にカメラ付き携帯電話機における撮影停止機能に関する。
【０００２】
【従来の技術】
従来、カメラ付き携帯電話機は、撮影時そのシャッター音を鳴動することでシャッターが押されたことを周囲に知らせており、このシャッター音は至近距離での盗撮防止の役割を担っている。またこの盗撮防止に関連する技術として、撮像されたくない被写体に装着した盗撮防止情報発生装置から発生する盗撮防止情報を検出することにより、撮像機能を停止させる撮像装置が開示されている（例えば、特許文献１参照）。あるいは、光センサを設け、タッチパネルがタップされた場合に周囲が明るいときには起動し、周囲が暗いときには起動しないようにした携帯端末が開示されている。これにより鞄などに入れられた場合にタッチパネルにタップしても、この携帯端末の自動起動を防止し、省電力化を図ることが可能な携帯端末が開示されている（例えば、特許文献２参照）。
【０００３】
【特許文献１】
特開２００１−１６９１７５号公報（段落番号０１５１）
【特許文献２】
特開２００１−０６９２３５号公報（段落番号００３７）
【０００４】
【発明が解決しようとする課題】
しかしながら、人が集中する場所において、シャッター音に気づかない場合もあり、必ずしも万全な対策とは言い切ることはできない。また、人が集中する場所における盗撮を考慮した場合、カメラ付き携帯電話機を隠した状態でカメラ撮影する傾向にあり、カメラ付き携帯電話機は暗い環境下に置かれることになる。
【０００５】
本発明の目的は、カメラフラッシュ設定無しの状態で暗い状態を検出した場合にカメラ機能を停止させ、盗撮を防止することが可能なカメラ付き携帯電話機およびその撮影停止方法ならびにプログラムを提供することにある。
【０００６】
【課題を解決するための手段】
請求項１に記載の本発明は、周辺の照度を検出する受光検出手段を有するカメラ付き携帯電話機であって、カメラモード起動時にカメラフラッシュが非設定状態で且つ一定の光量に落ちた暗い状態に変化したことを検出すると、カメラ機能を中断し撮影を非許容とする制御手段を備える。
【０００７】
請求項２に記載の本発明は、請求項１において、前記制御手段は、前記暗い状態に変化したことを検出するとファインダ表示を停止する。
【０００８】
請求項３に記載の本発明は、請求項１において、前記制御手段は、前記暗い状態に変化したことを検出するとファインダ表示時にシャッター押下を無効にする請求項４に記載の本発明は、請求項３において、前記制御手段は、カメラ機能を中断し撮影を非許容としたときに、特定の報知音出力あるいはバイブレータを動作させる。
【０００９】
請求項５に記載の本発明は、周辺の照度を検出する受光検出部と、ファインダ表示を行う液晶表示部とを有し、中央制御部によってカメラ撮影を制御するカメラ付き携帯電話機であって、前記中央制御部は、カメラの起動・停止制御を行うカメラ起動制御部と、前記カメラ起動制御部により起動され前記受光検出部の起動およびデータ格納指示を行うと共に前記受光検出部が検出した明暗状態を認識する受光検出制御部と、前記受光検出制御部によって確認された明るさと暗さの状態変化をメモリに設定格納する受光状態設定制御部と、前記メモリに格納された変化後の明暗状態を判定する受光状態変化判定部と、前記受光状態変化判定部の判定が明るい場合にファインダ表示を継続させ前記受光状態変化判定部の判定が暗い場合にはカメラフラッシュの設定有無を判断するフラッシュ設定判定部と、前記受光状態変化判定部の判定が明るい場合および前記カメラフラッシュが設定されている場合にはファインダ表示を継続させ暗い場合且つフラッシュ設定がなされていない場合にはファインダ表示を停止させ前記カメラ起動制御部および前記受光検出制御部に起動停止を指示するファインダ表示制御部と、前記ファインダ表示制御部の指示に基づき前記液晶表示部の表示制御を行うＬＣＤ表示制御部とを備える。
【００１０】
請求項６に記載の本発明は、請求項５において、前記受光検出部は、受光した光量を電圧変換して出力する受光部と、前記受光部からのアナログ電圧をデジタル値に変換する変換器と、前記変換器のＡ／Ｄ変換要求を行う比較器とを有し、前記比較器は、前記変換器が変換したデジタル値を格納する第１のレジスタと、予め定めた電圧しきい値を格納する第２のレジスタと、前記Ａ／Ｄ変換要求の出力間隔値を格納する第３のレジスタと、前記第１のレジスタに格納された測定結果と前記しきい値との比較結果を格納する第４のレジスタと、前記第３のレジスタに格納された値との一致を計数するためのカウンタとを備える。
【００１１】
請求項７に記載の本発明は、請求項５において、前記中央制御部は、前記受光状態変化判定部により変化後の状態が暗いと判定され且つ前記フラッシュ設定判定部がフラッシュ設定無しと判定した場合、ファインダ表示時にシャッター押下を無効とするシャッター不動作制御部を備える。
【００１２】
請求項８に記載の本発明は、請求項７において、前記シャッター不動作制御部が動作したとき特定の報知音あるいはバイブレータを動作せせる報知出力制御部を備える。
【００１３】
請求項９に記載の本発明は、周辺の照度を検出する受光検出部およびファインダ表示を行う液晶表示部を有するカメラ付き携帯電話機における撮影停止方法であって、前記カメラを起動するステップと、カメラ起動後に前記受光検出部を起動するステップと、前記カメラのファインダ表示を開始させるステップと、このファインダ表示中に前記カメラの起動を監視するステップと、前記カメラの起動が継続する場合前記受光検出部により明るさと暗さの状態変化があったか否かを判定するステップと、この状態変化があった場合前記携帯電話機のメモリに設定するステップと、前記メモリに設定された変化後の状態を確認し暗さの変化後を判定するステップと、この変化後の状態が暗い場合フラッシュ設定の有無を判定するステップと、この判定の結果フラッシュ設定がなされていなければカメラ起動の終了を認識しファインダ表示を停止させるステップと、フラッシュ設定されていればファインダ表示を継続するステップと、ファインダ表示停止により前記受光検出部およびカメラ起動を停止させ待ち受け画面に遷移させるステップとを有する。
【００１４】
請求項１０に記載の本発明は、請求項９において、フラッシュ設定の有無判定時に前記変化の状態が暗く且つフラッシュ設定されていなければ、シャッター押下を無効にするステップを有する。
【００１５】
請求項１１に記載の本発明は、請求項１０において、前記シャッター押下を無効にした場合、特定の報知音あるいはバイブレータを動作させるステップを有する。
【００１６】
請求項１２に記載の本発明は、周辺の照度を検出する受光検出部およびファインダ表示を行う液晶表示部を有するカメラ付き携帯電話機における撮影処理をコンピュータに実行させるためのプログラムであって、前記カメラを起動する処理と、カメラ起動後に前記受光検出部を起動する処理と、前記カメラのファインダ表示を開始させる処理と、このファインダ表示中に前記カメラの起動を監視する処理と、前記カメラの起動が継続する場合前記受光検出部により明るさと暗さの状態変化があったか否かを判定する処理と、この状態変化があった場合前記携帯電話機のメモリに設定する処理と、前記メモリに設定された変化後の状態を確認し暗さの変化後を判定する処理と、この変化後の状態が暗い場合フラッシュ設定の有無を判定する処理と、この判定の結果フラッシュ設定がなされていなければカメラ起動の終了を認識しファインダ表示を停止させる処理と、フラッシュ設定されていればファインダ表示を継続する処理と、ファインダ表示停止により前記受光検出部およびカメラ起動を停止させ待ち受け画面に遷移させる処理とをコンピュータに実行させる。
【００１７】
請求項１３に記載の本発明は、請求項１２において、フラッシュ設定の有無判定時に前記変化の状態が暗く且つフラッシュ設定されていなければ、シャッター押下を無効にする処理をコンピュータに実行させる。
【００１８】
請求項１４に記載の本発明は、請求項１３において、前記シャッター押下を無効にした場合、特定の報知音あるいはバイブレータを動作させる処理をコンピュータに実行させる。
【００１９】
本発明によれば、カメラ付き携帯電話機において、正面ＬＣＤ付近に光センサを取り付け、カメラフラッシュ設定をしておらず且つ一定の光量落ちを検出することにより、カメラ機能を中断しカメラ撮影を行えないようにすることができる。
【００２０】
【発明の実施の形態】
次に、本発明の実施の形態について図面を参照して詳細に説明する。図１（ａ）は本発明の第１の実施の形態における携帯電話機の構成を示すブロック図であり、（ｂ）は（ａ）の中央制御部における本発明に係わる部分を示すブロック図である。
【００２１】
図１を参照すると、携帯電話機は、受光検出部１０、カメラ２０、ＬＣＤ（Ｌｉｑｕｉｄ  Ｃｒｙｓｔａｌ  Ｄｉｓｐｌａｙ：液晶表示）表示部３０、中央制御部４０、無線部５０、アンテナ５１、操作部６０、マイク７０、電池８０、スピーカ９０を備える。中央制御部４０は、マイクロプロセッサ等により構成されるコンピュータ相当の機能を有し、操作部６０より入力されるユーザー操作を検出し、ユーザー操作に基づいた表示処理を行うと共にメモリ４１に格納したプログラムにより携帯電話機各部の制御を行う。無線部５０は、中央制御部４０の制御により、アンテナ５１を介して受信した電波を復調し、および変調した電波をアンテナ５１を介して送信する。通話時、マイク７０から入力したアナログ音声を中央制御部４０にてデジタル変換し、無線部５０およびアンテナ５１を介して送信する。アンテナ５１、無線部５０を介して受信した音声データは、中央制御部４０にてアナログ変換し、スピーカ９０より出力する。カメラ２０は、中央制御部４０の制御により、撮影した画像データを中央制御部４０に出力する。ＬＣＤ表示部３０は、中央制御部４０の制御により、各種の表示を行う。カメラファインダ時は、中央制御部４０にてカメラ２０からの画像データを表示データ形式に変換し、ＬＣＤ表示部３０に撮影画像を表示する。受光検出部１０は、中央制御部４０の制御により、照射された光量を測定し、予め定める一定値との比較結果を中央制御部４０に出力する。
【００２２】
中央制御部４０は、カメラ起動制御部４０１と、受光検出制御部４０２と、受光状態設定制御部４０３と、受光状態変化判定部４０４と、フラッシュ設定判定部４０５と、ファインダ表示制御部４０６と、ＬＣＤ表示制御部４０７とを備える。カメラ起動制御部４０１はカメラ２０の起動・停止制御を行う。受光検出制御部４０２は、カメラ起動制御部４０１により起動され受光検出部１０の起動およびデータ格納指示を行うと共に受光検出部１０が検出した明暗状態を認識する。受光状態設定制御部４０３は、受光検出制御部４０２によって確認された明るさと暗さの状態変化をメモリ４１に設定格納する。受光状態変化判定部４０４は、メモリ４１に格納された変化後の明暗状態を判定する。フラッシュ設定判定部４０５は、受光状態変化判定部４０４の判定が明るい場合にファインダ表示を継続させ受光状態変化判定部４０４の判定が暗い場合にはカメラフラッシュの設定有無を判断する。ファインダ表示制御部４０６は、受光状態変化判定部４０４の判定が明るい場合およびカメラフラッシュが設定されている場合にはファインダ表示を継続させ暗い場合且つフラッシュ設定がなされていない場合にはファインダ表示を停止させカメラ起動制御部４０１および受光検出制御部４０２に起動停止を指示する。ＬＣＤ表示制御部４０７は、ファインダ表示制御部４０６の指示に基づきＬＣＤ表示部３０の表示制御を行う。
【００２３】
図２（ａ）は図１（ａ）における受光検出部の構成を示すブロック図であり、図２（ｂ）は図２（ａ）における比較器の構成を示すブロック図である。受光検出部１０は、受光部１と、変換器２と、比較器３とで構成する。比較器３は、測定結果格納用レジスタ３１（以降、レジスタ３１と略称）、電圧しきい値格納用レジスタ３２（以降、レジスタ３２と略称）、Ａ／Ｄ変換要求間隔時間格納用レジスタ３３（以降、レジスタ３３と略称）、比較結果格納用レジスタ３４（以降、レジスタ３３と略称）、カウンタ３５を備える。
【００２４】
受光部１は受光した光量を電圧変換して出力し、変換器２は比較器３からのＡ／Ｄ要求により、受光部１からのアナログ電圧をデジタル値に変換し、レジスタ３１に格納する。レジスタ３２には、中央制御部４０により、予め定めた電圧しきい値を格納する。レジスタ３３には、中央制御部４０により、変換器２へのＡ／Ｄ変換要求出力間隔値を格納する。レジスタ３４にはレジスタ３１に格納された測定結果とレジスタ３２に格納されたしきい値との比較結果を保存する。カウンタ３５は中央制御部４０の制御により起動し、比較器３は、レジスタ３３とカウンタ値の一致を検出した場合、変換器２へＡ／Ｄ変換要求を出力し、カウンタ３５をリセットスタートする。比較器３は、レジスタ３１のデータ更新時にレジスタ３２の値と比較し、レジスタ３４に格納する。レジスタ３４値が前の値と異なる時は、中央制御部４０に通知する。
【００２５】
次に、本発明の第１の実施の形態の動作について図１〜図３を参照して説明する。ユーザー操作による操作部６０の入力により、中央制御部４０のカメラ起動制御部４０１がカメラ２０を起動する（ステップ３０１：Ｓ３０１と呼称、以降同様）。中央制御部４０の受光検出制御部４０２は受光検出部１０を起動する（Ｓ３０２）。中央制御部４０のＬＣＤ表示制御部４０７は、ＬＣＤ表示部３０にファインダ表示を開始する（Ｓ３０３）。
【００２６】
カメラ起動制御部４０１はカメラ起動を継続、終了の判断において（Ｓ３０４）、カメラ起動を継続する場合、受光検出部１０は明るさと暗さの状態変化を確認する（Ｓ３０５）。状態変化がある場合、受光検出制御部４０２は受光検出部１０のレジスタ３４に格納された値を確認し、中央制御部４０の受光状態設定制御部４０３がメモリ４１に変化後状態として、明るいか暗いかを設定する（Ｓ３０６）。
【００２７】
中央制御部４０の受光状態変化判定部４０４は、メモリ４１に格納した変化後状態を確認して、暗さの変化後を判断し（Ｓ３０７）、明るい場合はファインダ表示を継続し（Ｓ３０３）、暗い場合はカメラフラッシュ設定の有無を判断する（Ｓ３０８）。変化後状態が暗い場合、カメラフラッシュ設定されていなければ、中央制御部４０のファインダ表示制御部４０６は、カメラ起動終了を認識してＬＣＤ表示制御部４０７にファインダ表示の停止を指示する（Ｓ３０９）。一方、カメラフラッシュが設定されているならば、ファインダ表示を継続する（Ｓ３０３）。ファインダ表示制御部４０６は、カメラファインダ表示の停止指示を行うと、カメラ起動制御部４０１を介し受光検出部１０、カメラ２０の起動停止を行い（Ｓ３１０、３１１）、ＬＣＤ表示部３０を待ち受け画面へ遷移させる（Ｓ３１２）。
【００２８】
次に、  受光検出部１０の起動時の動作について図４を用いて説明する。本処理はカメラ起動中に実施する。レジスタ３２は受光検出制御部４０２により、明るいか暗いかの基準値である電圧しきい値を保存する（Ｓ４０１）。レジスタ３３は受光検出制御部４０２により変換器２へＡ／Ｄ変換要求を行う間隔（時間）を保存する（Ｓ４０２）。カウンタ３５は、受光検出制御部４０２によりカウント開始し（Ｓ４０３）、レジスタ３３とカウンタ値が一致するまで行い（Ｓ４０３）、一致した場合、比較器３は変換器２へＡ／Ｄ変換要求を出力し（Ｓ４０５）、カウンタ３５をリセットスタートする（Ｓ４０６）。
【００２９】
変換器２は比較器３のＡ／Ｄ変換要求により、アナログ電圧値をデジタル電圧値に変換しこの電圧値をレジスタ３１へ格納する（Ｓ４０７）。比較器３は変換器２がレジスタ３１にデータを格納したことをトリガとし、レジスタ３２に格納した値との比較を行い（Ｓ４０８）、大か小の結果をレジスタ３４へ格納する（Ｓ４０９）。大の場合は明るいとなり、小の場合は暗いとなる。前の値と同じならば、比較器３はレジスタ３４へ同値を格納する。比較器３は、レジスタ３４値に前回比較結果と異なる値を格納すると（Ｓ４１０）、格納したタイミングをトリガとし、明るいか暗いかの状態変化が発生したことを受光検出制御部４０２通知する（Ｓ４１１）。受光検出制御部４０２への通知完了後、比較器３はレジスタ３３に格納した値とカウンタ値の比較処理を行う（Ｓ４０４）。
【００３０】
次に、第２の実施の形態について図面を参照して説明する。
【００３１】
上述した第１の実施の形態では、中央制御部４０で認識している状態が暗い、且つカメラフラッシュ設定有りのときにカメラ２０を停止し待ち受け画面へ遷移する場合を説明したが、ファインダ表示時にシャッター押下を受け付けないことで、ファインダ表示中の撮影を停止することも可能である。  図５は第２の実施の形態における中央制御部４０ａを示すブロック図である。図５を参照すると、上述した図１（ｂ）に示された構成に対し、シャッター不動作制御部４０８がさらに追加されている。シャッター不動作制御部４０８は、受光状態変化判定部４０４により変化後の状態が暗いと判定され且つフラッシュ設定判定部４０５がフラッシュ設定無しと判定した場合、ファインダ表示時にシャッター押下を無効とする。なお、図１（ａ）を含めその他の各部は第１の実施の形態と同じなので説明を省略する。
【００３２】
次に、第２の実施の形態の動作を説明する。第２の実施の形態の処理動作を示す図６を参照すると、図６のＳ６０１からＳ６０４、Ｓ６１０からＳ６１３までの処理動作は第１の実施の形態における図３のＳ３０１からＳ３０４、Ｓ３０９からＳ３１２までと同様であり、また図６のＳ６０５からＳ６０７は、図３のＳ３０５からＳ３０７までと同一処理なため、ここでは説明を省略し、Ｓ６０８以降の処理について説明する。
【００３３】
受光状態変化判定部４０４により変化後状態が暗く（Ｓ６０７）、且つフラッシュ設定判定部４０５によりカメラフラッシュ設定の有無を判断し（Ｓ６０８）、カメラフラッシュ設定有りの場合、ＬＣＤ表示部３０にファインダ表示を継続する（Ｓ６０３）。一方、カメラフラッシュ設定無しの場合、中央制御部４０のシャッター不動作制御部４０８は、図１の操作部６０入力によるシャッター押下を受け付けない（Ｓ６０９）。このＳ６０９処理完了後、中央制御部４０はＬＣＤ表示部３０にファインダ表示を継続する（Ｓ６０３）。  シャッター不動作制御部４０８がシャッター押下を受け付けない状態は、フラッシュ設定有りへの変更、もしくは変化後状態が明るいことを検出するまで継続する。
【００３４】
次に、本発明の第３の実施の形態について図面を参照して説明する。
【００３５】
図７を参照すると、上述した図５に示された構成に対し、中央制御部４０ｂでは、報知出力制御部４０９がさらに追加されている。報知出力制御部４０９は、シャッター不動作制御部４０８が動作したとき特定の報知音あるいはバイブレータを動作させる。なお、図１（ａ）を含めその他の各部は第２の実施の形態と同じなので説明を省略する。この第３の実施の形態の場合、カメラフラッシュが設定されていない状態で、シャッター押下を受け付けない場合、特定の報知音（または特定メッセージでもよい）あるいはバイブレータを動作させることにより、周囲に対し知らせ、あるいは振動による撮影を不能にすることができるので、盗撮をより有効に防止することが可能となる。
【００３６】
【発明の効果】
以上説明したとおり本発明によれば、カメラ付き携帯電話機でカメラフラッシュ設定無しの状態で暗い状態を検出した場合に、カメラ機能を停止する機能を付加することにより盗撮を防止することができる。
【図面の簡単な説明】
【図１】（ａ）は本発明の第１の実施の形態における携帯電話機の構成を示すブロック図である。（ｂ）は（ａ）の中央制御部における本発明に係わる部分を示すブロック図である。
【図２】（ａ）は図１（ａ）における受光検出部の構成を示すブロック図である。（ｂ）は（ａ）における比較器の構成を示すブロック図である。
【図３】本発明の第１の実施の形態の動作を説明するためのフローチャートである。
【図４】本発明における比較器に係わる動作を説明するためのフローチャートである。
【図５】本発明の第２の実施の形態における中央制御部の構成を示すブロック図である。
【図６】本発明の第２の実施の形態の動作を説明するためのフローチャートである。
【図７】本発明の第３の実施の形態における中央制御部の構成を示すブロック図である。
【符号の説明】
１    受光部
２    変換器
３    比較器
１０    受光検出部
２０    カメラ
３０    ＬＣＤ表示部
３１    測定結果格納用レジスタ
３２    電圧しきい値格納用レジスタ
３３    Ａ／Ｄ変換要求間隔時間格納用レジスタ
３４    比較結果格納用レジスタ
３５    カウンタ
４０，４０ａ，４０ｂ    中央制御部
４１    メモリ
５０    無線部
５１    アンテナ
６０    操作部
７０    マイク
８０    電池
９０    スピーカ
４０１    カメラ起動制御部
４０２    受光検出制御部
４０３    受光状態設定制御部
４０４    受光状態変化判定部
４０５    フラッシュ設定判定部
４０６    ファインダ表示制御部
４０７    ＬＣＤ表示制御部
４０８    シャッター不動作制御部
４０９    報知出力制御部
【図１】
2005020130.tif 000003
【図２】
2005020130.tif 000004
【図３】
2005020130.tif 000005
【図４】
2005020130.tif 000006
【図５】
2005020130.tif 000007
【図６】
2005020130.tif 000008
【図７】
2005020130.tif 000009